(57)【要約】【課題】画像投射装置における光源と防塵フィルタの交換や清掃の作業性を向上させる。【解決手段】画像投射装置は、投射光学系５の光射出面が配置された前面、該前面の反対側に位置する背面、および前面と背面に隣り合う側面を有する筐体１７と、該筐体の内側に配置され、光源１からの光を光変調素子Ｐにより変調して投射光学系に導く光学ユニット６と、冷却用空気を筐体の外側から内側に取り込むために側面に形成された吸気口１７ａを覆うように筐体の内側に配置された防塵フィルタ２２とを有する。そして、筐体における背面に、光学ユニットに対する光源の着脱および防塵フィルタの筐体の側面に沿ったスライドによる着脱を行うための開口を開閉する単一の部材であるアクセス部材１９が設けられている。【選択図】図３
2011237700.tif 000002
【特許請求の範囲】
【請求項１】
投射光学系の光射出面が配置された前面、該前面の反対側に位置する背面、および前記前面と前記背面に隣り合う側面を有する筐体と、
該筐体の内側に配置され、光源からの光を光変調素子により変調して前記投射光学系に導く光学ユニットと、
冷却用空気を前記筐体の外側から内側に取り込むために前記側面に形成された吸気口を覆うように前記筐体の内側に配置された防塵フィルタとを有し、
前記筐体における前記背面に、前記光学ユニットに対する前記光源の着脱および前記防塵フィルタの前記側面に沿ったスライドによる着脱を行うための開口を開閉する単一の部材であるアクセス部材が設けられていることを特徴とする画像投射装置。
【請求項２】
前記アクセス部材に、前記吸気口から取り込まれて前記筐体の内側を冷却した前記冷却用空気を排気する排気口が形成されていることを特徴とする請求項１に記載の画像投射装置。
【請求項３】
前記光学ユニットは、複数の前記光源からの光を前記光変調素子により変調して前記投射光学系に導くように構成されており、
前記アクセス部材は、前記光学ユニットに対する前記複数の光源の着脱および前記防塵フィルタの前記側面に沿ったスライドによる着脱を行うための開口を開閉することを特徴とする請求項１または２に記載の画像投射装置。
【発明の詳細な説明】
【技術分野】
【０００１】
本発明は、液晶プロジェクタ等の画像投射装置に関し、特に画像投射装置における光源と防塵フィルタの着脱構造に関する。
【背景技術】
【０００２】
光源として放電ランプを用いる画像投射装置では、一定の点灯時間を経たランプの交換が必要である。また、光源の輝度を変えるために、光源を交換する場合もある。
【０００３】
また、このような画像投射装置では、点灯中の光源や該光源から強力な光を受ける液晶パネル等の光変調素子といった内部部品の冷却が必要である。該冷却は多くの場合、筐体の外側から内側に取り込んだ空気（外気）を用い、内部部品から熱を奪って高温となった空気（排気）を筐体の外側に流出させることで行われる。筐体には、外気を取り込むための吸気口と、排気を流出させるための排気口が形成される。吸気口の内側（筐体の内側）には、外気から塵埃を除去するための防塵フィルタが配置される。防塵フィルタも、一定の使用時間の経過または汚れが目立つようになったタイミングで清掃や交換が必要である。
【０００４】
特許文献１には、筐体の背面から光源ランプを着脱できる構造を有する画像投射装置が開示されている。この画像投射装置では、吸気口は筐体の底面または前面（投射光学系の光射出面が配置されている面）に形成されている。
【先行技術文献】
【特許文献】
【０００５】
【特許文献１】特開平０７−３１１３７２号公報
【発明の概要】
【発明が解決しようとする課題】
【０００６】
画像投射装置は、屋内で台や机の上に設置されるだけでなく、天井から吊り下げられたり屋外にて使用されたりする場合も多い。このような場合には特にランプや防塵フィルタの交換や清掃の作業性の向上が求められている。例えば、天吊りタイプの画像投射装置に対する光源と防塵フィルタの交換（または清掃）を行うことを考える。このとき、脚立に上った作業者が筐体の複数の面にアクセスしなければならないと、一方の面へのアクセス後にいちいち脚立から降りて脚立を移動させ、再び脚立に上って他方の面にアクセスするという面倒な動きが必要となる。
【０００７】
特許文献１にて開示された画像投射装置では、光源ランプについては交換の作業性が良好であると考えられるが、吸気口を覆う防塵フィルタの清掃や交換の作業性については、少なくとも筐体の背面以外の面にアクセスする必要があるため、良好とは言い難い。
【０００８】
本発明は、光源と防塵フィルタの交換や清掃の作業性を向上させることができるようにした画像投射装置を提供する。
【課題を解決するための手段】
【０００９】
本発明の一側面としての画像投射装置は、投射光学系の光射出面が配置された前面、該前面の反対側に位置する背面、および前面と背面に隣り合う側面を有する筐体と、該筐体の内側に配置され、光源からの光を光変調素子により変調して投射光学系に導く光学ユニットと、冷却用空気を筐体の外側から内側に取り込むために側面に形成された吸気口を覆うように筐体の内側に配置された防塵フィルタとを有する。そして、筐体における背面に、光学ユニットに対する光源の着脱および防塵フィルタの筐体の側面に沿ったスライドによる着脱を行うための開口を開閉する単一の部材であるアクセス部材が設けられていることを特徴とする。
【発明の効果】
【００１０】
本発明によれば、筐体の背面に設けられた単一のアクセス部材を開けることで、光源と防塵フィルタの双方の着脱が可能である。つまり、作業者は筐体の背面にアクセスするだけで、光源と防塵フィルタの交換や清掃を行うことができる。しかも、防塵フィルタを筐体の側面（吸気口）に沿ってスライドさせて着脱を行うことで、側面からの着脱を行う場合に比べて、防塵フィルタを通らずに筐体の内側に流入する外気の量を少なくできる構造を採用し易くすることができる。
【図面の簡単な説明】
【００１１】
【図１】本発明の実施例１である画像投射装置の上面図。
【図２】実施例１の画像投射装置の冷却構造を示す上面図。
【図３】実施例１の画像投射装置においてアクセス部材を開けた状態を示す上面図。
【図４】本発明の実施例２である画像投射装置の上面図。
【図５】実施例２の画像投射装置の冷却構造を示す上面図。
【図６】実施例２の画像投射装置においてアクセス部材を開けた状態を示す上面図。
【発明を実施するための形態】
【００１２】
以下、本発明の実施例について図面を参照しながら説明する。
【実施例１】
【００１３】
図１には、本発明の実施例１である画像投射装置としての液晶プロジェクタの構成を示している。１は光源としてのランプである。２はランプ１および後述する防爆凸レンズ３を保持するランプホルダである。防爆凸レンズ３は、ランプ１からの光を集光する機能を備える。４はランプ１、ランプホルダ２、防爆凸レンズ３および不図示の他の部材によって構成されるランプユニットである。
【００１４】
αはランプ１からの光が入射する照明光学系である。βは照明光学系αからの白色光をＲ，Ｇ，Ｂの３つの色光に分解し、それぞれの色光を光変調素子としての３つの液晶パネル（図には２つのみ示す）Ｐに導き、さらに３つの液晶パネルＰからの色光を合成する色分解合成光学系である。
【００１５】
５は色分解合成光学系βからの光を図示しないスクリーン等の被投射面に投射する投射レンズユニットである。投射レンズユニット５内には、後述する投射レンズ（投射光学系）が収納されている。
【００１６】
６は光学ボックス（光学ユニット）であり、その内側に、ランプユニット４、照明光学系αおよび色分解合成光学系βを収容するまた、光学ボックス６の前端部には、投射レンズユニット５が固定されている。ランプユニット４は、ランプ１の交換のために、光学ボックス６に対して着脱が可能である。
【００１７】
８は電源・バラストユニットである。電源・バラストユニット８の内部には、不図示の電源や、該電源と電気的に接続されてランプ１を点灯させるためのバラスト電源が収容されている。
【００１８】
９は後述する外装キャビネット（筐体）１７に組み込まれたＡＣインレットであり、不図示のＡＣ電源コードが接続される。ＡＣ電源コードからのＡＣ電源は、電源・バラストユニット８に供給される。
【００１９】
１０は光学冷却ファンである。光学冷却ファン１０は、外装キャビネット１７に形成された吸気口Ａ１７ａを通して外装キャビネット１７の外側から内側に外気（冷却用空気）を取り込み、その外気を色分解合成光学系βの一部および電源・バラストユニット８に供給してこれらを冷却する。１１は吸気口１７ａから取り込まれた外気を、光学冷却ファン１０に向けてガイドするＲＧＢダクトである。
【００２０】
１２は吸気口１７ａから外気を取り込み、その外気をランプ１に対して吹き付けてランプ１を冷却する第１ランプ冷却ファンである。
【００２１】
１３は第１ランプ冷却ファン１２を保持し、かつ第１ランプ冷却ファン１２から吐出された空気をランプ１に向けてガイドする第１ランプダクトである。１４は第１ランプダクト１３と組み合わさって、第１ランプ冷却ファン１２から吐出された空気の一部を後述する偏光変換素子４５に向けてガイドする第２ランプダクトである。
【００２２】
１５は電源・バラストユニット８に保持された電源排気ファンである。電源排気ファン１５は、吸気口１７ａから取り込まれた外気と光学冷却ファン１０から送られてきた空気を、電源・バラストユニット８を通過させて外装キャビネット１７に形成された排気口１９ａから外装キャビネット１７の外側に流出（排出）させる。
【００２３】
１６は吸気口１７ａから外気を取り込み、ランプ１を冷却する第２ランプ冷却ファンである。第１ランプ冷却ファン１２と第２ランプ冷却ファン１６からランプ１に吹き付けられた空気は、ランプ１を冷却した後に、排気口１９ａから外装キャビネット１７の外側に排出される。
【００２４】
外装キャビネット１７は、その内側に、上述した光学ボックス６、投射レンズユニット５、電源・バラストユニット８およびファン１０，１２，１５，１６等を収容する。外装キャビネット１７の前面には、投射レンズユニット５の光射出面を露出させるための開口が形成されている。すなわち、外装キャビネット１７の前面には、投射レンズユニット５の光射出面が配置されている。外装キャビネット１７には、前面とは反対側に位置する背面と、前面および背面に隣り合う左右の側面と、不図示の上面および底面とが形成されている。左側面には、吸気口１７ａが形成されている。また、背面には、排気口１９ａが形成された排気蓋（アクセス部材）が設けられている。排気蓋１９は、外装キャビネット１７に対して開閉が可能である。
【００２５】
２２は外装キャビネット１７の内側において吸気口１７ａを覆うように配置された防塵フィルタである。防塵フィルタ２２は、吸気口１７ａを通って外装キャビネット１７の内側に取り込まれる外気から塵埃を除去する。２３は防塵フィルタ２２を保持するフィルタホルダである。防塵フィルタ２２は、その清掃や交換のために、フィルタホルダ２３とともにプロジェクタ（外装キャビネット１７）に対して着脱が可能である。
【００２６】
２４は外装キャビネット１７の右側面における背面側に設けられ、排気蓋１９の開閉状態を検出するための排気蓋スイッチである。
【００２７】
次に、本実施例のプロジェクタにおける冷却構造について図２を用いて説明する。本実施例のプロジェクタは、前述した通り、４つの冷却用および排気用のファン１０，１２，１５，１６を備えており、これら４つのファン１０，１２，１５，１６の回転により２つの風路Ａ（実線で示す）および風路Ｂ（点線で示す）が形成される。
【００２８】
まず、風路Ａについて説明する。第１および第２ランプ冷却ファン１２，１６の回転によって外装キャビネット１７の外側の空気（外気）が吸気口１７ａおよび防塵フィルタ２２を通って外装キャビネット１７の内側に流入する。
【００２９】
第１ランプ冷却ファン１２から吐出された空気は、第１ランプダクト１３およびランプホルダ２に形成された不図示の第１流入口を通ってランプホルダ２の内側に流入し、ランプ１と防爆凸レンズ３の間の空間を通ってランプ１の発光管４１を冷却する。発光管４１を冷却した空気は、ランプホルダ２に形成された不図示の第１流出口を通ってランプユニット４から排出される。ランプユニット４から排出された空気は、排気蓋１９に向かって流れ、排気口１９ａを通って外装キャビネット１７の外側に排出される。
【００３０】
また、第１ランプダクト１３に流れ込んだ空気の一部は、第２ランプダクト１４に流入し、光学ボックス６に形成された不図示の第１流入口から光学ボックス６の内側に流入して偏光変換素子４５を冷却する。偏光変換素子４５を冷却した空気は、光学ボックス６に形成された不図示の第１流出口から光学ボックス６の外側に流出し、排気蓋１９に向かって流れ、排気口１９ａを通って外装キャビネット１７の外側に排出される。
【００３１】
第２ランプ冷却ファン１６から吐出された空気は、ランプホルダ２に形成された不図示の第２流入口を通ってランプホルダ２の内側に流入し、リフレクタ４２の外周を流れながらランプユニット４を冷却する。その後、ランプホルダ２に形成された不図示の第２流出口を通ってランプホルダ２の外側に流れ出た空気は、排気蓋１９に向かって流れ、排気口１９ａを通って外装キャビネット１７の外側に排出される。
【００３２】
次に、風路Ｂについて説明する。光学冷却ファン１０の回転により、外装キャビネット１７の外側の空気（外気）が吸気口１７ａおよび防塵フィルタ２２を通って外装キャビネット１７の内側に流入する。流入した空気は、ＲＧＢダクト１１を通って光学冷却ファン１０に吸い込まれる。光学冷却ファン１０から吐出された空気は、不図示のダクトを通って光学ボックス６に形成された不図示の第２流入口から光学ボックス６の内側に流入し、色分解合成光学系βを構成する光学素子や液晶パネルＰを冷却する。色分解合成光学系βおよび液晶パネルＰを冷却した空気は、光学ボックス６に形成された不図示の第２流出口から光学ボックス６の外側に流出し、電源・バラストユニット８に流れ込む。
【００３３】
電源・バラストユニット８に流れ込んでこれを冷却した空気は、電源排気ファン１５によって吸い込まれ、電源排気ファン１５から吐出されて排気口１９ａを通って外装キャビネット１７の外側に排出される。
【００３４】
以上のように構成されたプロジェクタにおけるランプ１（ランプユニット４）および防塵フィルタ２２（フィルタホルダ２３）の着脱について、図３を用いて説明する。図３には、外装キャビネット１７の背面に設けられた排気蓋１９を外装キャビネット１７に対して開いた状態を示している。
【００３５】
排気蓋１９は、外装キャビネット１７の背面における右端部に不図示の蝶番によって開閉可能となっている。ただし、排気蓋１９を外装キャビネット１７に対してスライドさせることで開閉可能としたり、はめ込み方式で開閉（着脱）可能としたりしてもよい。このことは、後述する実施例２でも同じである。
【００３６】
排気蓋１９を開くと、光学ボックス６に固定されているランプユニット４と、フィルタホルダ２３の長手方向（厚み方向に直交する方向）の端部が露出する開口Ｓが形成される。排気蓋１９は、この開口を開閉する単一の部材である。
【００３７】
ランプユニット４は、光学ボックス６に対して不図示の螺子によって固定されている。このため、この螺子を外すことで光学ユニット６からランプユニット４を取り外し、開口Ｓを通じてランプユニット４を外装キャビネット１７の背面方向外側（図中の白抜き矢印で示す方向）に取り出すことができる。逆に、開口Ｓを通じてランプユニット４（例えば、ランプ１が交換されたランプユニット４）を光学ユニット６に挿入して螺子を締め込むことで、該ランプユニット４を光学ユニット６に固定することができる。
【００３８】
また、開口Ｓを通じてフィルタホルダ２３の長手方向端部を引き出すことで、フィルタホルダ２３（防塵フィルタ２２）を吸気口１７ａに沿ってスライドさせて、外装キャビネット１７の背面方向外側に取り出すことができる。逆に、開口Ｓを通じてフィルタホルダ２３を吸気口１７ａに沿ってスライドさせながら外装キャビネット１７の前面方向に挿入することで、防塵フィルタ２２（清掃または交換された防塵フィルタ２２）が吸気口１７ａを覆う位置に装着することができる。
【００３９】
ランプユニット４の交換および防塵フィルタ２２の清掃または交換が完了した後は、排気蓋１９が外装キャビネット１７に対して閉じられる。
【００４０】
このように、本実施例では、外装キャビネット１７の背面に設けられた単一（同一）のアクセス部材である排気蓋１９を開けることで、ランプ１（ランプユニット４）と防塵フィルタ２２（フィルタホルダ２３）の双方にアクセスすることができる。このため、これらの交換または清掃作業を容易に行うことができる。特に、本実施例のプロジェクタを天吊り設置する場合には、脚立を一箇所に置いたままランプ１と防塵フィルタ２２の交換または清掃作業を行うことができ、作業性を良くすることができる。
【００４１】
また、排気蓋１９には排気口１９ａが形成されているが、これは排気口１９ａの付近には障害物が置かれることがないので、ランプ１と防塵フィルタ２２の交換または清掃作業を行うのに障害物が邪魔にならないためである。
【００４２】
また、排気口１９ａを有する排気蓋１９がプロジェクタ内で最も高熱になるランプ１に近接して設けられているため、ランプ１の冷却効率を高くすることができる。
【００４３】
さらに、アクセス部材を、排気口１９ａを設けた排気蓋１９として形成することで、ランプ１と防塵フィルタ２２に対するアクセス専用の部材を設ける必要が無い。このため、アクセス専用の部材を設けることによるプロジェクタのデザイン性の低下やコストの上昇を防止することができる。
【００４４】
また、アクセス部材としての排気蓋１９を、投射レンズユニット５の光射出面とは反対側に設けたことで、ランプ１および防塵フィルタ２２の交換または清掃作業において、投射レンズユニット５の光射出面を汚したり傷つけたりすることを回避できる。
【００４５】
また、排気口１９ａと吸気口１７ａとを互いに異なる面に設けることで、排気口１９ａから排出された温度が高い空気が吸気口１７ａから再びプロジェクタ内に流入して冷却効率が低下することを防止できる。
【００４６】
しかも、本実施例では、防塵フィルタ２２を外装キャビネット１７の側面（吸気口１７ａ）に沿ってスライドさせて着脱を行う。これにより、該側面から防塵フィルタ２２の厚み方向に着脱を行う場合に比べて、防塵フィルタ２２を通らずに外装キャビネット１７の内側に流入する外気の量を少なくできる構造を採用し易くすることができる。
【００４７】
例えば、フィルタホルダ２３のうち防塵フィルタ２２に近い前部や上下部をその厚み方向両側から挟み込むようなレール（溝）を形成することで、該レールによって防塵フィルタ２２を通らずに外装キャビネット１７の内側に流入する外気を遮断することができる。防塵フィルタ２２の厚み方向に着脱を行う場合には、このようなレールを設けることができないので、防塵フィルタ２２を通らずに外装キャビネット１７の内側に流入する外気を遮断することが難しい。
【００４８】
また、本実施例では、ランプ１が点灯し、ファン１０，１２，１５，１６が回転している状態で閉じていた排気蓋１９が開けられると、排気蓋スイッチ２４によってこれが検出され、不図示の制御回路は、ランプ１を消灯し、各ファンの回転を停止させる。これにより、各ファンが回転して吸気口１７ａから外気が流入している状態で防塵フィルタ２２が引き出されることにより、塵埃を含んだ外気がプロジェクタ内部に流入することを防止する。もちろん、第１および第２ランプ冷却ファン１２，１６の回転が停止されるので、ランプ１も消灯させることで、ランプ１が冷却されないまま点灯し続けることも防止される。
【００４９】
なお、吸気口１７ａから取り込まれる外気からの塵埃除去効果を高めるため、防塵フィルタ２２を吸気口１７ａと平行に複数（多重に）設けてもよい。この場合も、外装キャビネット１７におけるランプ１へのアクセス面（背面）と同じ面から、かつランプ１へのアクセス部材である排気蓋１９を開くことで複数の防塵フィルタ２２にアクセスできる。これにより、該複数の防振フィルタ２２の清掃や交換作業を、ランプ１の交換とともに容易に行うことができる。このことは、後述する実施例２でも同じである。
【実施例２】
【００５０】
次に、本発明の実施例２である液晶プロジェクタについて、図４から図６を用いて説明する。実施例１の液晶プロジェクタはランプを１つ使用するが、本実施例の液晶プロジェクタはランプを複数（２つ）使用する。なお、本実施例において、実施例１と共通する構成要素については実施例１と同符号を付して説明に代える。
【００５１】
図４には、実施例２の液晶プロジェクタの構成を示している。７１は光源としての第１のランプである。７２は第１のランプ７１および後述する第１の防爆凸レンズ７３を保持する第１のランプホルダである。第１の防爆凸レンズ７３は、第１のランプ７１からの光を集光する機能を備える。７４は第１のランプ７１、第１のランプホルダ７２、第１の防爆凸レンズ７３および不図示の他の部材によって構成される第１のランプユニットである。
【００５２】
８１は光源としての第２のランプである。８２は第２のランプ８１および後述する第２の防爆凸レンズ８３を保持する第２のランプホルダである。第２の防爆凸レンズ８３は、第２のランプ８１からの光を集光する機能を備える。８４は第２のランプ８１、第２のランプホルダ８２、第２の防爆凸レンズ８３および不図示の他の部材によって構成される第２のランプユニットである。
【００５３】
γは第１および第２のランプ７１，８１からの光を合成する２灯合成光学系である。αａは２灯合成光学系γにて合成された光が入射し、該光を色分解合成光学系βに向けて射出する２灯式照明光学系である。色分解合成光学系βからの光は、投射レンズユニット５を介して被投射面に投射される。
【００５４】
光学ボックス（光学ユニット）６の内側には、第１および第２のランプユニット７４，８４、２灯照明光学系αａおよび色分解合成光学系βが収容されている。また、光学ボックス６の前端部には、投射レンズユニット５が固定されている。第１および第２のランプユニット７４，８４はそれぞれ、第１および第２のランプ７１，８１の交換のために、光学ボックス６に対して着脱が可能である。
【００５５】
８８は２灯電源・バラストユニットである。２灯電源・バラストユニット８８の内部には、不図示の電源や、該電源と電気的に接続されて第１および第２のランプ７１,８１を点灯させるためのバラスト電源が収容されている。
【００５６】
１１２Ａは吸気口１７ａから外気を取り込み、その外気を第１のランプ７１に対して吹き付けて第１のランプ７１を冷却する第１ランプ冷却ファンである。１１２Ｂは吸気口１７ａから外気を取り込み、その外気を第２のランプ８１に対して吹き付けて第２のランプ８１を冷却する第２ランプ冷却ファンである。
【００５７】
１１３Ａは第１のランプ冷却ファン１１２Ａを保持し、第１のランプ冷却ファン１１２Ａから吐出された空気を第１のランプ７１にガイドする第１のランプダクトである。１１３Ｂは第１のランプダクト１１３Ａと組み合わさって、第１のランプ冷却ファン１１２Ａから吐出された空気の一部を偏光変換素子４５に向けてガイドする第２のランプダクトである。
【００５８】
１１３Ｃは第２のランプ冷却ファン１１２Ｂを保持し、第２のランプ冷却ファン１１２Ｂから吐出された空気を第２のランプ８１にガイドする第３のランプダクトである。第２のランプ冷却ファン１１２Ｂから第３のランプダクト１１３Ｃを通って第２のランプ８１に吹き付けられた空気は、第２のランプ８１を冷却した後に、排気口１９ａから外装キャビネット１７の外側に排出される。
【００５９】
１１５は２灯電源・バラストユニット８８に保持された電源排気ファンである。電源排気ファン１１５は、吸気口１７ａから取り込まれた外気と光学冷却ファン１０から送られてきた空気を、２灯電源・バラストユニット８８を通過させて外装キャビネット１７に形成された排気口１９ａから外装キャビネット１７の外側に流出（排出）させる。
【００６０】
１１６は吸気口１７ａから外気を取り込み、第１のランプ７１を冷却する第３のランプ冷却ファンである。第１のランプ冷却ファン１１２Ａと第３のランプ冷却ファン１１６から第１のランプ７１に吹き付けられた空気は、第１のランプ７１を冷却した後に、排気口１９ａから外装キャビネット１７の外側に排出される。
【００６１】
次に、本実施例のプロジェクタにおける冷却構造について図５を用いて説明する。本実施例のプロジェクタは、前述した通り、５つの冷却用および排気用のファン１０，１１２Ａ，１１２Ｂ，１１５，１１６を備えている。これら５つのファン１０，１１２Ａ，１１２Ｂ，１１５，１１６の回転により２つの風路Ａａ（実線で示す）および風路Ｂｂ（点線で示す）が形成される。
【００６２】
まず、風路Ａａについて説明する。第１および第３のランプ冷却ファン１１２Ａ，１１６の回転によって外装キャビネット１７の外側の空気（外気）が吸気口１７ａおよび防塵フィルタ２２を通って外装キャビネット１７の内側に流入する。
【００６３】
第１のランプ冷却ファン１１２Ａから吐出された空気は、第１のランプダクト１１３Ａおよび第１のランプホルダ７２に形成された不図示の第１流入口を通って第１のランプホルダ７２の内側に流入する。そして、第１のランプ７１と第１の防爆凸レンズ７３の間の空間を通って第１のランプ７１の発光管７４１を冷却する。発光管７４１を冷却した空気は、第１のランプホルダ７２に形成された不図示の第１流出口を通って第１のランプユニット７４から排出される。第１のランプユニット７４から排出された空気は、排気蓋１９に向かって流れ、排気口１９ａを通って外装キャビネット１７の外側に排出される。
【００６４】
また、第１のランプダクト１１３Ａに流れ込んだ空気の一部は、第２のランプダクト１１３Ｂに流入し、光学ボックス６に形成された不図示の第１流入口から光学ボックス６の内側に流入して偏光変換素子４５を冷却する。偏光変換素子４５を冷却した空気は、光学ボックス６に形成された不図示の第１流出口から光学ボックス６の外側に流出し、排気蓋１９に向かって流れ、排気口１９ａを通って外装キャビネット１７の外側に排出される。
【００６５】
第３のランプ冷却ファン１１６から吐出された空気は、第１のランプホルダ７２に形成された不図示の第２流入口を通って第１のランプホルダ７２の内側に流入し、リフレクタ７４２の外周を流れながら第１のランプユニット７４を冷却する。その後、第１のランプホルダ７２に形成された不図示の第２流出口を通って第２のランプホルダ７２の外側に流れ出た空気は、排気蓋１９に向かって流れ、排気口１９ａを通って外装キャビネット１７の外側に排出される。
【００６６】
次に、風路Ｂｂについて説明する。光学冷却ファン１０の回転により、外装キャビネット１７の外側の空気（外気）が吸気口１７ａおよび防塵フィルタ２２を通って外装キャビネット１７の内側に流入する。流入した空気は、ＲＧＢダクト１１を通って光学冷却ファン１０に吸い込まれる。光学冷却ファン１０から吐出された空気は、不図示のダクトを通って光学ボックス６に形成された不図示の第２流入口から光学ボックス６の内側に流入し、色分解合成光学系βを構成する光学素子や液晶パネルＰを冷却する。色分解合成光学系βおよび液晶パネルＰを冷却した空気は、光学ボックス６に形成された不図示の第２流出口から光学ボックス６の外側に流出し、２灯電源・バラストユニット８８および第２のランプ冷却ファン１１２Ｂに流れ込む。
【００６７】
２灯電源・バラストユニット８８に流れ込んでこれを冷却した空気は電源排気ファン１１５によって吸い込まれ、電源排気ファン１１５から吐出されて排気口１９ａを通って外装キャビネット１７の外側に排出される。
【００６８】
また、第２のランプ冷却ファン１１２Ｂから吐出された空気は、第３のランプダクト１１３Ｃおよび第２のランプホルダ８２に形成された不図示の第１流入口を通って第２のランプホルダ８２の内側に流入する。そして、第２のランプ８１と第２の防爆凸レンズ８３の間の空間を通って第２のランプ８１の発光管８４１を冷却する。発光管８４１を冷却した空気は、第２のランプホルダ８２に形成された不図示の第１流出口を通って第２のランプユニット８４から排出される。第２のランプユニット８４から排出された空気は、排気蓋１９に向かって流れ、排気口１９ａを通って外装キャビネット１７の外側に排出される。
【００６９】
また、第２のランプ冷却ファン１１２Ｂから吐出された空気の一部は、第２のランプホルダ８２に形成された不図示の第２流入口を通って第２のランプホルダ８２の内側に流入し、リフレクタ８４２の外周を流れながら第２のランプユニット８４を冷却する。その後、その後、第２のランプホルダ８２に形成された不図示の第２流出口を通って第２のランプホルダ８２の外側に流れ出た空気は、排気蓋１９に向かって流れ、排気口１９ａを通って外装キャビネット１７の外側に排出される。
【００７０】
以上のように構成されたプロジェクタにおける第１および第２のランプ７１，８１（第１および第２のランプユニット７４，８４）および防塵フィルタ２２（フィルタホルダ２３）の着脱について、図６を用いて説明する。図６には、外装キャビネット１７の背面に設けられた排気蓋１９を外装キャビネット１７に対して開いた状態を示している。
【００７１】
排気蓋１９は、外装キャビネット１７の背面における右端部に不図示の蝶番によって開閉可能となっている。
【００７２】
排気蓋１９を開くと、光学ボックス６に固定されている第１および第２のランプユニット７４，８４と、フィルタホルダ２３の長手方向（厚み方向に直交する方向）の端部が露出する開口Ｓが形成される。排気蓋１９は、この開口を開閉する単一の部材である。
【００７３】
実施例１でも説明したように、各ランプユニットは、光学ボックス６に対して不図示の螺子によって固定されている。このため、この螺子を外すことで光学ユニット６から各ランプユニットを取り外し、開口Ｓを通じて該各ランプユニットを外装キャビネット１７の背面方向外側（図中の白抜き矢印で示す方向）に取り出すことができる。逆に、開口Ｓを通じて各ランプユニット（例えば、ランプが交換されたランプユニット）を光学ユニット６に挿入して螺子を締め込むことで、該各ランプユニットを光学ユニット６に固定することができる。
【００７４】
また、実施例１と同様に、開口Ｓを通じてフィルタホルダ２３の長手方向端部を引き出すことで、フィルタホルダ２３（防塵フィルタ２２）を吸気口１７ａに沿ってスライドさせて、外装キャビネット１７の背面方向外側に取り出すことができる。逆に、開口Ｓを通じてフィルタホルダ２３を吸気口１７ａに沿ってスライドさせながら外装キャビネット１７の前面方向に挿入することで、防塵フィルタ２２（清掃または交換された防塵フィルタ２２）が吸気口１７ａを覆う位置に装着することができる。各ランプユニットの交換および防塵フィルタ２２の清掃または交換が完了した後は、排気蓋１９が外装キャビネット１７に対して閉じられる。
【００７５】
このように、本実施例でも、外装キャビネット１７の背面に設けられた単一（同一）のアクセス部材である排気蓋１９を開けることで、２つのランプ７１，８１（ランプユニット７４，８４）と防塵フィルタ２２（フィルタホルダ２３）の双方にアクセスできる。このため、これらの交換または清掃作業を容易に行うことができる。特に、本実施例のプロジェクタを天吊り設置する場合には、脚立を一箇所に置いたまま２つのランプ７１，８１と防塵フィルタ２２の交換または清掃作業を行うことができ、作業性を良くすることができる。
【００７６】
また、本実施例でも、防塵フィルタ２２を外装キャビネット１７の側面（吸気口１７ａ）に沿ってスライドさせて着脱を行う。これにより、該側面から防塵フィルタ２２の厚み方向に着脱を行う場合に比べて、防塵フィルタ２２を通らずに外装キャビネット１７の内側に流入する外気の量を少なくできる構造を採用し易くすることができる。その他、実施例１で説明したのと同様の効果を本実施例でも得ることができる。
【００７７】
また、本実施例でも、ランプ７１，８１が点灯し、ファン１０，１１２Ａ，１１２Ｂ，１１５，１１６が回転している状態で閉じていた排気蓋１９が開けられると、排気蓋スイッチ２４によってこれが検出される。不図示の制御回路は、これに応じてランプ７１，８１を消灯し、各ファンの回転を停止させる。これにより、各ファンが回転して吸気口１７ａから外気が流入している状態で防塵フィルタ２２が引き出されることにより、塵埃を含んだ外気がプロジェクタ内部に流入することを防止する。もちろん、第１〜第３のランプ冷却ファン１１２Ａ，１１２Ｂ，１１６の回転が停止されるので、ランプ７１，８１も消灯させることで、各ランプが冷却されないまま点灯し続けることも防止される。
【００７８】
上記各実施例では、光変調素子として液晶パネルを用いた液晶プロジェクタについて説明したが、本発明は、光変調素子としてデジタルマイクロミラーデバイスやレーザー光走査デバイスを用いた、液晶プロジェクタ以外の画像投射装置にも適用することができる。
【００７９】
また、投射光学系は、レンズ系に限らず、プリズムやミラー等の他の光学素子を用いて構成された光学系であってもよい。
【００８０】
以上説明した各実施例は代表的な例にすぎず、本発明の実施に際しては、各実施例に対して種々の変形や変更が可能である。
【産業上の利用可能性】
【００８１】
光源と防塵フィルタの交換や清掃の作業性が良好な液晶プロジェクタ等の画像投射装置を提供できる。
【符号の説明】
【００８２】
１，７１，８１  ランプ
１７  外装キャビネット
１７ａ  吸気口
１９  排気蓋
１９ａ  排気口
２２  防塵フィルタ
【図１】
2011237700.tif 000003
【図２】
2011237700.tif 000004
【図３】
2011237700.tif 000005
【図４】
2011237700.tif 000006
【図５】
2011237700.tif 000007
【図６】
2011237700.tif 000008